(57)【特許請求の範囲】
【請求項１】
円筒形形状の装置本体と、
前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、
前記収納容器内には、前記装置本体を収納する本体収納部と、前記リード端子を収納するリード端子収納部とが設けられ、
前記リード端子収納部には、前記リード端子の前記曲げ部よりも先端に設けられたキンク部を係止可能に構成された係止手段が設けられたことを特徴とする収納容器。
【請求項２】
前記係止手段は、前記長手方向に沿って延設された突条で構成されたことを特徴とする請求項１記載の収納容器。
【請求項３】
円筒形形状の装置本体と、
前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、
前記収納容器内には、前記装置本体を収納する本体収納部と、前記リード端子を収納するリード端子収納部とが設けられ、
前記２本のリードには、窪み部分を有するキンク部が設けられ、
前記リード端子収納部の内部側面には、前記窪み部分に突き出された突条が前記長手方向に沿って配置されたことを特徴とする収納容器。
【請求項４】
前記窪み部分の反対側の膨出部分の根本に向けて突き出された突条を有する請求項３記載の収納容器。
【請求項５】
円筒形形状の装置本体と、
前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、
前記収納容器内には、前記装置本体を収納する本体収納部と、前記リード端子を収納するリード端子収納部とが設けられ、
前記２本のリードには、膨出部分を有するキンク部が設けられ、
前記リード端子収納部の内部側面には、前記膨出部分の根本位置二カ所に向けてそれぞれ突き出された二本の突条が前記長手方向に沿って配置されたことを特徴とする収納容器。
【請求項６】
前記本体収納部には、前記装置本体の位置を規制する位置決め手段が設けられたことを特徴とする請求項１乃至請求項５のいずれか１項記載の収納容器。
【請求項７】
前記位置決め手段は、長手方向に延設された２本の突条で構成されたことを特徴とする請求項６記載の収納容器。
【発明の詳細な説明】
【０００１】
【発明の属する技術分野】
本発明は、半導体装置の収納容器の技術分野にかかり、特に、リード端子にキンク部が設けられた半導体装置の収納容器に関する。
【０００２】
【従来の技術】
従来より、半導体装置を運搬する際や、自動挿入装置に装着する際には、樹脂で成形された収納容器(マガジン)内に、半導体装置を一列に収納させ、収納容器ごと運搬や装着が行われており、そのような容器のうち、特にダイオードのような二端子半導体装置には、図５の符号１０５に示す収納容器が用いられている。
【０００３】
この収納容器１０５は樹脂製であり、断面は逆凹字形状であってその内部１１８は中空に形成されている。内部１１８のうち、中央部分が本体収納部１１６にされ、その両側の部分がリード端子収納部１１７1、１１７2にされている。
【０００４】
図５(ａ)に、この収納容器１０５に収納される二端子半導体装置１８０を示す。二端子半導体装置１８０は、一般に、半導体チップを樹脂封止した円筒形形状の装置本体１８６と、その二側面から導出され、同一方向に折り曲げられたリード端子１８７1、１８７2を有している。
【０００５】
収納容器１０５の軸方向の両端部分は開口部にされており、該二端子半導体装置１８０を内部１１８に収納する際には、一方の端部開口から本体収納部１１６内に装置本体１８６が挿入され、リード端子収納部１１７1、１１７2内にリード端子１８７1、１８７2がそれぞれ挿入される。収納容器１０５内には、装置本体１８６同士が密着した状態で、二端子半導体装置１８０が収納容器１０５内で横一列に多数収納できるように構成されている。
【０００６】
内部１１８を二端子半導体装置１８０で満載した後、収納容器１０５の両端の開口部分をゴム栓やピンを用いて栓をすると、二端子半導体装置１８０が収納容器１０５内に保持される。その状態で運搬すると、装置本体１８６には衝撃が加わらないので、モールドに欠けやひびが入らない。また、リード端子１８７1、１８７2は曲がることがないので、二端子半導体装置１８０を不良品にすることなく安全に運搬することが可能となっている。
【０００７】
しかしながら、このような収納容器１０５は、二端子半導体装置１８０の装置本体１８６が本体収納部１１６上に載置され、リード端子１８７1、１８７2の先端部分は収納容器１０５底面に接触しないように構成されており、従って、図６(ｂ)に示すように、二端子半導体装置１８０は揺動可能である。
【０００８】
この場合、二端子半導体装置１８０を開口端部から挿入する際や、又は運搬途中においても、二端子半導体装置１８０は揺動可能であるため、隣り合う二端子半導体装置１８０のリード端子１８７同士が接触してしまう。
【０００９】
ところで、リード端子形状の種類によっては、図１に示すような二端子半導体装置８０がある。この二端子半導体装置８０は、半導体チップが封止され、樹脂製で円筒形形状に成形された装置本体８６と、その二側面から導出され、同一方向に略直角に折り曲げられ、先端部分が略平行にされたリード端子８７1、８７2を有しており、各リード端子８７1、８７2は、その途中の一部分が内側に向けて湾曲成形され、キンク部８８1、８８2が設けられている。
【００１０】
このような二端子半導体装置８０では、リード端子８７1、８７2を先端部分からプリント基板の挿入孔に挿入すると、キンク部８８1、８８2がプリント基板表面と当接され、装置本体８６がプリント基板と接触しない状態で半田付けできるため、熱が装置本体８６に加わらず、信頼性が高い回路を得ることができる。このように、キンク部８８1、８８2は、二端子半導体装置８０がプリント基板に挿入されるときの、ストッパーとなる。
【００１１】
しかしながらこのようなキンク部８８1、８８2を有する二端子半導体装置８０を、上述のような収納容器１０５内に複数収納した場合には、二端子半導体装置８０が内部１１８内で揺動し、隣り合う二端子半導体装置８０のリード端子８７1同士(又はリード端子８７2同士)が接触し、キンク部１８1同士(又はキンク部１８2同士)が絡み合ってしまい、収納容器１０６内で詰まり、取り出せなくなってしまうという問題がある。
【００１２】
【発明が解決しようとする課題】
本発明は上記従来技術の不都合を解決するために創作されたものであり、その目的は、二端子半導体装置同士が絡み合うことのない収納容器を提供することにある。
【００１３】
【課題を解決するための手段】
上記課題を解決するために、請求項１記載の発明は、円筒形形状の装置本体と、前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、前記収納容器内には、前記装置本体を収納する本体収納部と、前記リード端子を収納するリード端子収納部とが設けられ、前記リード端子収納部には、前記リード端子の前記曲げ部よりも先端に設けられたキンク部を係止可能に構成された係止手段が設けられたことを特徴とする。
【００１４】
請求項２記載の発明は、請求項１記載の収納容器であって、前記係止手段は、前記長手方向に沿って延設された突条で構成されたことを特徴とする。
【００１５】
請求項３記載の発明は、円筒形形状の装置本体と、前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、前記収納容器内には、前記装置本体を収納する本体収納部と、前記リード端子を収納するリード端子収納部とが設けられ、前記２本のリードには、窪み部分を有するキンク部が設けられ、前記リード端子収納部の内部側面には、前記窪み部分に突き出された突条が前記長手方向に沿って配置されたことを特徴とする。
【００１６】
請求項４記載の発明は、請求項３記載の収納容器であって、前記窪み部分の反対側の膨出部分の根本に向けて突き出された突条を有する。
請求項５記載の発明は、円筒形形状の装置本体と、前記装置本体の互いに対向する二側面からそれぞれ導出され、曲げ部において同一方向に折り曲げられた２本のリード端子とを有する二端子半導体装置を、長手方向の端部開口から内部に挿入し、横一列に収容できるように構成された細長の収納容器であって、前記収納容器内には、前記装置本体を収納する本体収納部と、前記リード端子を収納するリード端子収納部とが設けられ、前記２本のリードには、膨出部分を有するキンク部が設けられ、前記リード端子収納部の内部側面には、前記膨出部分の根本位置二カ所に向けてそれぞれ突き出された二本の突条が前記長手方向に沿って配置されたことを特徴とする。
請求項６記載の発明は、請求項１乃至請求項５のいずれか１項記載の収納容器であて、前記本体収納部には、前記装置本体の位置を規制する位置決め手段が設けられたことを特徴とする。
請求項７記載の発明は、請求項６記載の収納容器であって、前記位置決め手段は、長手方向に延設された２本の突条で構成されたことを特徴とする。
【００１７】
上述した本発明の収納容器の構成によれば、円筒形形状の装置本体と、その装置本体の互いに対向する二側面からそれぞれ導出され、同一方向に折り曲げられた２本のリード端子とが設けられた二端子半導体装置を、軸方向の端部開口から内部に挿入すると、横一列に収容できるように構成されている。
【００１８】
その収納容器内には、装置本体を収納する本体収納部と、リード端子を収納するリード端子収納部とが設けられており、リード端子収納部には、リード端子に設けられたキンク部を係止可能に構成された係止手段が設けられているので、二端子半導体装置が収納容器内で揺動しようとしても、キンク部が係止手段に係止され、二端子半導体装置の動きが規制されるので、リード端子同士が絡み合うことはない。
【００１９】
その係止手段は、リード端子収納部内で軸方向に延設した突条によって構成すると、収納容器を成形する際に、一緒に成形することができる。
【００２０】
また、収納容器内に二端子半導体装置を挿入する際に、装置本体の位置を規制する位置決め手段を本体収納部に設けておくと、キンク部を有するリード端子を係止手段が設けられたリード端子収納部内に挿入することが容易になる。
【００２１】
その位置決め手段は、本体収納部内で軸方向に延設された２本の突条で構成すると、収納容器を成形する際に、一緒に成形することができる。
【００２２】
【発明の実施の形態】
図２は本発明の一実施形態の収納容器５の斜視図、図３(ａ)は平面図、図３(ｂ)は断面図である。この収納容器５は樹脂製であり、断面は逆凹字形状で、内部１８は中空に形成されている。収納容器５の内部１８のうち、断面中央部分が本体収納部１６、その両側の部分がリード端子収納部１７1、１７2にされている。
【００２３】
この収納容器５の両端には、表面から裏面に貫通する孔２０1、２０2がそれぞれ設けられている。
【００２４】
孔２０1、２０2にピン２１を挿入した場合には、ピン頭２１1は収納容器５の上部に残り、ピン先端２１2が収納容器５の先端に突き出され、ピン先端２１2の図示しない膨出部分によって、ピン２１全体が収納容器５に保持されるように構成されている。
【００２５】
収納容器５の軸方向(長手方向)の両端部分は開口部にされており、一方の孔２０1内にピン２１を挿入してピン止めし、他方の開口端部側を持ち上げた状態にし、図１に示す二端子半導体装置８０を、その開口端部から収納容器５内に１個ずつ挿入すると、二端子半導体装置８０は内部１８内を滑り落ち、ピン２１によって収納容器５内に保持される。
【００２６】
図面左方のリード端子収納部１７1と図面右方のリード端子収納部１７2とは対称にされており、その内部には、係止手段３１、４１がそれぞれ設けられている。各係止手段３１、４１は、各リード端子収納部１７1、１７2内の２つの側壁面上で、それぞれ軸方向に延設された突条３１1、３１2と突条４１1、４１2で構成されている。図面左方のリード端子収納部１７1の係止手段３１では、２個の突条３１1、３１2の内側の突条３１1は、外側の突条３１2よりも本体収納部１６の近くに配置され、同様に、図面右方のリード端子収納部１７2の係止手段４１でも、内側の突条４１1が外側の突条４１2よりも上方に配置されている。
【００２７】
本体収納部１６には、位置決め手段５１が設けられている。この位置決め手段５１は、本体収納部１６の天井に、軸方向に延設された２本の突条５１1、５１2によって構成されており、突条５１1、５１2間の間隔は、装置本体８６の長さよりも僅かに大きめに形成されている。
【００２８】
二端子半導体装置８０を収納容器５内に挿入する際には、二端子半導体装置８０全体を端部開口に対して平行な姿勢で対向させ、その姿勢のまま、装置本体８６を２本の突条５１1、５１2間に挿入すると、二端子半導体装置８０は、位置決め手段５１によって位置が規制され、リード端子８７1、８７2のキンク部８８1、８８2は、係止手段３１、４１(突条３１1、３１2間と突条４１1、４１2間)に挿入される。
【００２９】
この場合、装置本体８６の両側には突条５１1、５１2が位置しており、キンク部８８1、８８2の上には、本体収納部１６に近い方の突条３１1、４１1が位置し、キンク部８８1、８８2の湾曲内には他方の突条３１2、４１2が位置している。
【００３０】
この状態では、位置決め手段５１と係止手段３１、４１によって、二端子半導体装置８０全体は収納容器５の軸線方向には移動できるが、軸線方向以外へは移動しずらい。また、二端子半導体装置８０が揺動しようとしても、キンク部８８1、８８2は、それぞれ係止手段３１(突条３１1、３１2)と係止手段４１(４１1、４１2)に係止され、揺動できない。
【００３１】
従って、二端子半導体装置８０が端部開口から挿入されると、挿入された姿勢のままピン２１側へ移動するので、収納容器５内に収納された複数の二端子半導体装置８０の隣り合うリード端子８７1同士(又はリード端子８７2同士)が絡まることはない。
【００３２】
なお、この収納容器５の長さＬは約５５０ｍｍ、幅Ｗは２０ｍｍにされており、孔２０1、２０2間の間隔は約５２８ｍｍにされている。装置本体８６の幅(直径)は約４．４ｍｍであり、従って、二端子半導体装置８０を収納容器５内に満載させた場合、収納容器５内には１２０個の二端子半導体装置８０を収納することができる。
【００３３】
そのように二端子半導体装置８０を満載した後、挿入に用いた端部開口側の孔２０1、２０2にピン２１を挿入保持させると、二端子半導体装置８は収納容器５から脱落しない状態になり、運搬できるようになる。
【００３４】
運搬の際に、振動等の影響により、収納された二端子半導体装置８０が収納容器５内で揺動しようとしても、上述したように、リード端子８７1、８７2のキンク部８８1、８８2は係止手段３１、４１に係止されるので、隣り合う二端子半導体装置８０のリード端子８７1同士(又はリード端子８７2同士)が絡まることはない。
【００３５】
なお、本発明の係止手段は、例えば図４(ａ)に示した収納容器６の突条３２1、３２2、４２1、４２2のように、キンク部に対する上下位置を入れ替えてもよい。
【００３６】
この場合、キンク部８８1、８８2の下側に位置する突条３２2、４２2は不要であるから、同図(ｂ)に示した収納容器７のように、キンク部８８1、８８2の湾曲した窪み内に挿入される１個の突条によって係止手段３３、４３を構成してもよい。
【００３７】
また、これとは逆に、同図(ｃ)に示した収納容器８のように、キンク部８８1、８８2の上側に配置される突条３４1、４４1と、キンク部８８1、８８2の下側に配置される突条３４2、４４2によって係止手段３４を構成してもよい。この場合、キンク部８８1、８８2の下側に配置される突条３４2、４４2は省略することができる。
【００３８】
図４(ａ)〜(ｃ)に示した収納容器６、７、８では、位置決め手段５２、５３、５４が設けられ、挿入される二端子半導体装置８０の装置本体８６の位置を規制していたが、各収納容器５〜８について、それらの位置決め手段５１〜５４は省略することができる。
【００３９】
要するに、本発明は、キンク部８８1、８８2と係止可能に構成された係止手段を有し、収納した二端子半導体装置８０のリード端子８７1同士(又はリード端子８７2同士)が絡み合わない構成された収納容器であれば広く含まれる。例えば、図４(ｄ)に示すように、二端子半導体装置８０を二列に収納する収納容器９も本発明に含まれる。
【００４０】
なお、上述の二端子半導体装置８０は、ダイオードに限定されるものではなく、抵抗器やツェナーダイオードの他ＩＣ装置等も含め、リード端子を二本有し、その途中にキンク部が設けられた二端子半導体装置を広く含む。
【００４１】
【発明の効果】
隣り合う二端子半導体装置同士のリード端子同士が絡み合うことがないので、装置内から容易に取り出せる。従って、作業効率が向上する。
位置決め手段を設けた場合には、キンク部を有するリード端子をリード端子収納部内に容易に挿入することが可能となる。
【図面の簡単な説明】
【図１】本発明の収納容器が収納できる二端子半導体装置の例
【図２】本発明の収納容器の斜視図
【図３】(ａ)：その平面図    (ｂ)：二端子半導体装置を収納した状態を説明するための図
【図４】(ａ)〜(ｄ)：本発明の収納容器の他の例
【図５】従来技術の収納容器を説明するための図
【図６】(ａ)：その断面図    (ｂ)：断面側面図
【符号の説明】
５〜９……収納容器    ３１〜３４、４１〜４４……係止手段    ５１〜５４……位置決め手段    ３１1〜３４1、３１2〜３４2、４１1〜４４1、４１2〜４４2、５１1〜５４1、５１2〜５４2……突条
８０……二端子半導体装置    ８７……本体収納部    ８７1、８７2……リード端子    ８８1、８８2……キンク部
【図１】
0003681512.tif 000002
【図２】
0003681512.tif 000003
【図３】
0003681512.tif 000004
【図４】
0003681512.tif 000005
【図５】
0003681512.tif 000006
【図６】
0003681512.tif 000007